(57)【要約】【課題】医師およびクラークが同時に同一の、または相互に異なるパソコンに接続して入力作業が可能となるようにし、例えば、クラークが入力作業を行っている間でも次の患者のカルテを医師がモニタに表示できるようにし、時間ロスを解消して医療行為の合理化を向上できるようにする。【解決手段】医師用パソコン、および該医師用パソコンとは別位置に配置されたクラーク用パソコンの各々に外部へ画像信号を２分して出力するモニタ分配器を接続するととともに、前記医師用パソコンおよびクラーク用パソコンを共通の診療情報データサーバに接続してなり、さらに、キーボード、マウス、モニタからなる外部機器を医師用パソコンおよびクラーク用パソコンとの間を中継して接続する医師用切換器およびクラーク用切換器を設け、前記医師用切換器、クラーク用切換器に対応する前記外部機器を独立に操作することにより、前記医師用パソコンまたはクラーク用パソコンのいずれかを任意に選択して接続可能となるようにする。【選択図】図１
2013246781.tif 000002
【特許請求の範囲】
【請求項１】
医師用パソコン、および該医師用パソコンとは別位置に配置されたクラーク用パソコンの各々に外部へ画像信号を２分して出力するモニタ分配器を接続するとともに、前記医師用パソコンおよびクラーク用パソコンを共通の診療情報データサーバに接続してなり、
さらに、キーボード、マウス、モニタからなる外部機器を医師用パソコンおよびクラーク用パソコンとの間を中継して接続する医師用切換器およびクラーク用切換器を設け、
前記医師用切換器、クラーク用切換器に対応する前記外部機器を独立に操作することにより、前記医師用パソコンまたはクラーク用パソコンのいずれかを任意に選択して接続可能となるようにしたことを特徴とする医療支援システム。
【請求項２】
前記医師用パソコンに補助モニタを接続するための画像出力コネクタを備えていることを特徴とする請求項１記載の医療支援システム。
【請求項３】
前記医師用パソコンに高精細モニタ、および該高精細モニタを駆動することのできる専用のパソコンを並置するとともに、該パソコンを診療情報データサーバに接続して医療用高精細画像の表示が可能となるようにしたことを特徴とする請求項１記載の医療支援システム。
【発明の詳細な説明】
【技術分野】
【０００１】
本発明は、医療施設において医師による患者に対する診療を医療秘書などのアシスタント（以下、クラーク）とともに行う場合に、医師のパソコン入力作業を軽減することができる医療支援システムに関するものである。
【背景技術】
【０００２】
近年、医療分野における情報化が急速に発展し、コンピュータシステムを利用した電子カルテが普及している。このような電子カルテのパーソナルコンピュータ（以下、パソコン）により、診察内容はもとより診療報酬請求明細書（レセプト）の内容なども入力しなければならない。ところが、このようなパソコンへの入力作業は繁雑であり、その入力作業に習熟していない医師が入力作業を行うと、貴重な診療時間を浪費してしまうことになる。
【０００３】
そこで、診察にクラークを同席させ、医師とクラークが同一モニタで入力作業を行うシステム、あるいは医師用のパソコンとは別にクラーク用のパソコンを設け、医師が必要なパソコン入力作業を終了した後、クラークが当該患者のカルテをモニタに表示し、医師が入力したデータを基にさらにクラークが補助的な入力作業を行うシステムが提案されている（例えば、特許文献１参照）。
【０００４】
前記特許文献１に開示された技術は、患者と医師とクラークが臨席して診療を行うにあたり、医師が操作する入力手段（キーボード、マウス）およびモニタと、クラークが操作する入力手段およびモニタと、医師およびクラークの入力手段により入力された診療情報（カルテ）を記憶蓄積する診療情報データサーバと、医師とクラークの入力手段による入力状況を、医師とクラークのモニタに連動して表示する制御手段を有するとするものである。
【先行技術文献】
【特許文献】
【０００５】
【特許文献１】特開２００４−６２４８４号公報
【発明の概要】
【発明が解決しようとする課題】
【０００６】
しかしながら、医師とクラークが同一モニタで入力作業を行うシステムでは、医師がパソコンに患者のカルテの入力作業を終了した後は、そのパソコンが一時的にクラークに占領され、医師がそのパソコンを使用して別の患者のカルテを表示させることができない問題がある。また、すでに入力が終了した患者のカルテに追加事項を医師が入力するような場合は、クラークの入力作業が中断されるという問題がある。
【０００７】
一方、医師とクラークの両方にモニタを配置する特許文献１に開示されたシステムでは、医師が患者カルテの入力作業が済んだ上で、クラークが医師により入力した患者カルテを立ち上げてから入力作業を行うことになるので、その間の時間ロスが発生するという問題がある。また、クラークが患者カルテに対して疑義が生じたような場合には、一旦クラークが作業を終了し、医師が当該患者カルテを立ち上げて疑義に対処しなければならないという問題がある。
【０００８】
本発明はかかる問題を解決するためになされたもので、医師およびクラークが同時に同一の、または相互に異なるパソコンに接続して入力作業が可能となるようにし、医師の診療に時間ロスが生じないようにする医療支援システムを提供することを目的とするものである。
【課題を解決するための手段】
【０００９】
そこで本発明は、以下に述べる各手段により上記課題を解決するようにした。即ち、請求項１記載の発明では、医師用パソコン、および該医師用パソコンとは別位置に配置されたクラーク用パソコンの各々に外部へ画像信号を２分して出力するモニタ分配器を接続するとともに、前記医師用パソコンおよびクラーク用パソコンを共通の診療情報データサーバに接続してなり、さらに、キーボード、マウス、モニタからなる外部機器を医師用パソコンおよびクラーク用パソコンとの間を中継して接続する医師用切換器およびクラーク用切換器を設け、前記医師用切換器、クラーク用切換器に対応する前記外部機器を独立に操作することにより、前記医師用パソコンまたはクラーク用パソコンのいずれかを任意に選択して接続可能となる医療支援システムとなるようにする。
【００１０】
請求項２記載の発明では、上記請求項１記載の医療支援システムにおいて、前記医師用パソコンに補助モニタを接続するための画像出力コネクタを備えていることを特徴とする請求項１記載の医療支援システム。
【００１１】
請求項３記載の発明では、上記請求項１記載の医療支援システムにおいて、前記医師用パソコンに高精細モニタ、および該高精細モニタを駆動することのできる専用のパソコンを並置するとともに、該パソコンを診療情報データサーバに接続して医療用高精細画像の表示が可能となるようにする。
【発明の効果】
【００１２】
本発明によれば、医師およびクラークが同時に同一の、または相互に異なるパソコンに接続して入力作業が可能となるので、例えば、クラークが入力作業を行っている間でも次の患者のカルテを医師がモニタに表示させることができるので時間ロスが解消し、医療行為の合理化を向上することが可能となる。また、患者の診療に際し、患者の電子カルテを表示するとともに、患者の患部の高精細な画像を表示することが可能となる。
【図面の簡単な説明】
【００１３】
【図１】本発明の医療支援システムの構成を示す図である。
【図２】本発明の医療支援システムの構成の他の例を示す図である。
【図３】医師用切換器の内部構成を説明する図である。
【図４】クラーク用切換器の内部構成を説明する図である。
【発明を実施するための形態】
【００１４】
以下、本発明の実施の形態を図に基づいて詳細に説明する。図１は本発明の医療支援システムの構成を示す図であり、図２に他の構成の例を示し、図３は医師用切換器、図４はクラーク用切換器の内部構成を示す説明図である。
【００１５】
図１に示す実施の形態において、医師用パソコン１およびクラーク用パソコン２は共通の診療情報データサーバ３に接続され、患者の診療情報の授受が可能となるようにしている。前記医師用パソコン１の第１系統のＶＧＡコネクタ１ａとモニタ分配器４の画像入力端子４ａが接続され、２分された画像が画像出力端子４ｂ、４ｃから出力される。また、医師用パソコン１には第２系統のＶＧＡコネクタ１ｂを備え、これと補助モニタＭＯ３を接続し、患者の患部の診断画像などを表示することが可能となるようにしている。一方、クラーク用パソコン２のＶＧＡコネクタ２ａとモニタ分配器５の画像入力端子５ａが接続され、２分された画像が画像出力端子５ｂ、５ｃから出力される。
【００１６】
図３は医師用切換器６の内部におけるスイッチの切換態様を説明する図であり、入力ポートとなるＶＧＡコネクタ６ａ、６ｂ、出力ポートとなるＵＳＢコネクタ６ｄ、６ｅを備える。一方、出力ポートとなるＶＧＡコネクタ６ｃ、入力ポートとなるＵＳＢコネクタ６ｆ、６ｇを備える。前記ＶＧＡコネクタ６ｃにはモニタＭＯ１、ＵＳＢコネクタ６ｆにはキーボードＫＢ１、ＵＳＢコネクタ６ｇにはマウスＭＵ１がそれぞれ接続される。
【００１７】
前記ＶＧＡコネクタ６ｃはスイッチＳａ１の共通端に接続され、ＶＧＡコネクタ６ａ、６ｂがスイッチＳａ１の開閉端に接続されている。さらに、ＵＳＢコネクタ６ｆ、６ｇはスイッチＳａ２の共通端に並列に接続され、ＵＳＢコネクタ６ｄ、６ｅがスイッチＳａ２の開閉端に接続されている。なお、前記スイッチＳａ１、Ｓａ２、は連動して開閉方向が同一となるようにしている。
【００１８】
図４はクラーク用切換器７の内部におけるスイッチの切換態様を説明する図であり、入力用ポートとなるＶＧＡコネクタ７ａ、７ｂ、出力ポートとなるＵＳＢコネクタ７ｄ、７ｅを備える。一方、出力ポートとなるＶＧＡコネクタ７ｃ、入力ポートとなるＵＳＢコネクタ７ｆ、７ｇを備え、ＶＧＡコネクタ７ｅにはモニタＭＯ２、ＵＳＢコネクタ７ｆにはキーボードＫＢ２、ＵＳＢコネクタ７ｇにはマウスＭＵ２がそれぞれ接続される。
【００１９】
前記ＶＧＡコネクタ７ｃはスイッチＳｂ１の共通端に接続され、ＶＧＡコネクタ７ａ、７ｂがスイッチＳｂ１の開閉端に接続されている。さらに、ＵＳＢコネクタ７ｆ、７ｇはスイッチＳｂ２の共通端に並列に接続され、ＵＳＢコネクタ７ｄ、７ｅがスイッチＳｂ２の開閉端に接続されている。なお、前記スイッチＳｂ１，Ｓｂ２は連動して開閉方向が同一となるようにしている。
【００２０】
つぎに、以上のように構成された医師用切換器６、クラーク用切換器７と医師用パソコン１、クラーク用パソコン２とモニタ分配器４，５との相互の配線状態について説明する。医師用パソコン１の第１系統のＶＧＡコネクタ１ａと画像入力端子４ａが接続されたモニタ分配器４の一方の画像出力端子４ｂは医師用切換器６のＶＧＡコネクタ６ａに接続され、他方の画像出力端子４ｃはクラーク用切換器７のＶＧＡコネクタ７ａに接続される。
【００２１】
一方、クラーク用パソコン２のＶＧＡコネクタ２ａと画像入力端子５ａが接続されたモニタ分配器５の一方の画像出力端子５ｂはクラーク用切換器７のＶＧＡコネクタ７ｂに接続され、他方の画像出力端子５ｃは医師用切換器６のＶＧＡコネクタ６ｂに接続される。
【００２２】
つぎに、医師用切換器６のＵＳＢコネクタ６ｄは医師用パソコン１のＵＳＢコネクタ１ｄと接続され、ＵＳＢコネクタ６ｅはクラーク用パソコン２のＵＳＢコネクタ２ｂと接続されている。一方、クラーク用切換器７のＵＳＢコネクタ７ｄは医師用パソコン１のＵＳＢコネクタ１ｃと接続され、ＵＳＢコネクタ７ｅはクラーク用パソコン２のＵＳＢコネクタ２ｃと接続されている。
【００２３】
本発明の医療支援システムは以上のように構成されているので、医師用切換器６のスイッチＳａ１、Ｓａ２、が図３に示すようにＶＧＡコネクタ６ｂ側、ＵＳＢコネクタ６ｅ側に閉成されている場合、クラーク用パソコン２のＶＧＡコネクタ２ａからモニタ分配器５を介して画像信号を取り込んでモニタＭＯ１に表示させ、マウスＭＵ１およびキーボードＫＢ１の操作信号をクラーク用パソコン２へＵＳＢコネクタ２ｂから入力させることができる。
【００２４】
一方、医師用切換器６のスイッチＳａ１、Ｓａ２、をＶＧＡコネクタ６ａ側、ＵＳＢコネクタ６ｄ側に閉成すると、医師用パソコン１の第１系統のＶＧＡコネクタ１ａからモニタ分配器４を介して画像信号を取り込んでモニタＭＯ１に表示させ、マウスＭＵ１およびキーボードＫＢ１の操作信号を医師用パソコン２へＵＳＢコネクタ１ｄから入力させることができる。なお、マウスＭＵ１、キーボードＫＢ１を操作して患者カルテをＭＯ１に表示するとともに補助モニタＭＯ３に診断画像を表示することができる。
【００２５】
また、クラーク用切換器７のスイッチＳｂ１、Ｓｂ２が図４に示すようにＶＧＡコネクタ７ｂ側、ＵＳＢコネクタ７ｅ側に閉成されている場合、クラーク用パソコン２のＶＧＡコネクタ２ａからモニタ分配器５を介して画像信号を取り込んでモニタＭＯ２に表示させ、マウスＭＵ２およびキーボードＫＢ２の操作信号をクラーク用パソコン２へＵＳＢコネクタ２ｃから入力させることができる。
【００２６】
一方、クラーク用切換器７のスイッチＳｂ１、Ｓｂ２をＶＧＡコネクタ７ａ側、ＵＳＢコネクタ７ｄ側に閉成すると、医師用パソコン１の第１系統のＶＧＡコネクタ１ａからモニタ分配器４を介して画像信号を取り込んでモニタＭＯ２に表示させ、マウスＭＵ２およびキーボードＫＢ２の操作信号を医師用パソコン２へＵＳＢコネクタ１ｃから入力させることができる。
【００２７】
以上の説明における医師用切換器６およびクラーク用切換器７に採用するスイッチは、有接点式のメカニカルスイッチでもよいが、キーボードＫＢ１、ＫＢ２からのキー操作により作動する電子式スイッチでもよい。なお、以上の実施例の説明において、市販のパソコンを前提としてＵＳＢコネクタを利用するようにしたが、高速シリアルバスなどを採用することもできる。また、医師とクラークが交互に操作主体となるように任意にシステムを構築することも容易に可能である。
【００２８】
図２は本発明の医療支援システムの他の例を示すもので、デジタルＸ線撮影（ＣＲ）、コンピュータ断層撮影（ＣＴ）、核磁気共鳴断層撮影（ＭＲＩ）などによる画像データを高精細で表示し、患者の患部の状態を詳細に診断できるようにしたものである。
【００２９】
この場合、高精細モニタＭＯ４、およびこの高精細モニタＭＯ４を駆動することのできる専用のパソコン８を医師用パソコン１と並置するとともに、該パソコンを診療情報データサーバ３に接続し、マウスＭＵ３、キーボードＫＢ３の操作により画像データをダウンロードして医療用高精細画像の表示が可能となる。なお、パソコン８と高精細モニタＭＯ４との接続は、ＶＧＡコネクタあるいはＤＶＩコネクタなど、パソコンのグラフィックボードに対応するコネクタが採用される。
【００３０】
以上のように構成された本発明の医療支援システムによれば、医師とクラークが独自に入力作業を実行できるのはもとより、医師とクラークの入力結果を相互にモニタで確認することができる。また、医師の診察後、クラークの入力作業が継続されている状態においても、医師は診療情報データサーバにアクセスし、次の患者の診療情報をモニタに表示させることができるので、時間ロスが生じないなど本発明特有の効果を奏する。
【符号の説明】
【００３１】
１・・・・・・医師用パソコン
２・・・・・・クラーク用パソコン
３・・・・・・診療情報データサーバ
４・・・・・・モニタ分配器
５・・・・・・モニタ分配器
６・・・・・・医師用切換器
７・・・・・・クラーク用切換器
８・・・・・・高精細モニタ用パソコン
ＭＵ１、２、３・・・マウス
ＫＢ１、２、３・・・キーボード
ＭＯ１・・・・医師用モニタ
ＭＯ２・・・・クラーク用モニタ
ＭＯ３・・・・補助モニタ
ＭＯ４・・・・高精細モニタ
【図１】
2013246781.tif 000003
【図２】
2013246781.tif 000004
【図３】
2013246781.tif 000005
【図４】
2013246781.tif 000006